(57)【要約】【課題】欄干上部枠体８を欄干パネル４Ａの上部に固定した後でも欄干上部枠体８内に複数の内部保持部材１１を設置できる乗客コンベアおよび乗客コンベアの組立方法を提供。【解決手段】内部保持部材１１は、欄干パネル４Ａの上端部に挟み込まれる一対の挟み込み部１２と、光源収納体１４を保持する一対の光源保持部１３とが、弾性を有する線材により一体的に構成された形状を有し、一対の挟み込み部１２の間隔は、欄干パネル４Ａの上端部と欄干上部枠体８との間の隙間よりも小さく一対の挟み込み部１２が欄干パネル４Ａの上端部に挟み込まれた状態で上方から見たときに欄干パネル4Aに対して８０度から１００度の間の角度２７で交差し、一対の光源保持部１３は、一対の挟み込み部１２が欄干パネル４Ａの上端部に挟み込まれた状態で上方から見たときに前記欄干パネルに対して５０度から７０度の間の角度２８で交差することを特徴とする。【選択図】  図4
2018030697.tif 000002
【特許請求の範囲】
【請求項１】
無端状に連結されて乗り込み口と降り口との間で循環移動する複数のステップと、前記ステップの幅方向の両側に配置された欄干と、前記ステップと同期して移動可能に配置された移動手摺とを備え、前記欄干は、下部が固定された欄干パネルと、前記欄干パネルの上部に固定された欄干上部枠体と、前記欄干上部枠体内に設けられた欄干照明とを有する乗客コンベアにおいて、
前記欄干照明は、前記移動手摺の移動方向に沿って配置され、発光素子を有する光源収納体を有し、
前記欄干上部枠体内には、前記光源収納体を保持する複数の内部保持部材を有し、
前記複数の内部保持部材の各内部保持部材は、前記欄干パネルの上端部に挟み込まれる一対の挟み込み部と、前記光源収納体を保持する一対の光源保持部とが、弾性を有する線材により一体的に構成された形状を有し、
前記一対の挟み込み部の間隔は、前記欄干パネルの上端部と前記欄干上部枠体との間の隙間よりも小さく、
前記一対の挟み込み部は、前記一対の挟み込み部が前記欄干パネルの上端部に挟み込まれた状態で上方から見たときに前記欄干パネルに対して８０度から１００度の間の角度で交差し、
前記一対の光源保持部は、前記一対の挟み込み部が前記欄干パネルの上端部に挟み込まれた状態で上方から見たときに前記欄干パネルに対して５０度から７０度の間の角度で交差することを特徴とする乗客コンベア。
【請求項２】
請求項１において、
前記一対の光源保持部の間隔は前記一対の挟み込み部の間隔より大きいことを特徴とする乗客コンベア。
【請求項３】
無端状に連結されて乗り込み口と降り口との間で循環移動する複数のステップと、前記ステップの幅方向の両側に配置された欄干と、前記ステップと同期して移動可能に配置された移動手摺とを備え、前記欄干は、下部が固定された欄干パネルと、前記欄干パネルの上部に固定された欄干上部枠体と、前記欄干上部枠体内に設けられた欄干照明とを有する乗客コンベアの組立方法において、
前記欄干照明は、前記移動手摺の移動方向に沿って配置され、発光素子を有する光源収納体を有し、
前記欄干上部枠体内には、前記光源収納体を保持する複数の内部保持部材を有し、
前記複数の内部保持部材の各内部保持部材は、前記欄干パネルの上端部に挟み込まれる一対の挟み込み部と、前記光源収納体を保持する一対の光源保持部とが、弾性を有する線材により一体的に構成された形状を有し、
前記一対の挟み込み部の間隔は、前記欄干パネルの上端部と前記欄干上部枠体との間の隙間よりも小さく、
前記一対の挟み込み部は、前記一対の挟み込み部が前記欄干パネルの上端部に挟み込まれた状態で上方から見たときに前記欄干パネルに対して８０度から１００度の間の角度で交差し、
前記一対の光源保持部は、前記一対の挟み込み部が前記欄干パネルの上端部に挟み込まれた状態で上方から見たときに前記欄干パネルに対して５０度から７０度の間の角度で交差する形状であり、
前記欄干パネルの上部に前記欄干上部枠体が固定された状態において、前記欄干パネルの上端部と前記欄干上部枠体との間の隙間に、前記一対の光源保持部が前記一対の挟み込み部よりも下方に位置する状態で前記一対の挟み込み部が上下方向に一対となるように前記一対の挟み込み部を挿入し、前記欄干パネルの上端部に前記一対の挟み込み部が挟み込まれた状態となるよう回転させることにより、前記欄干パネルの上端部に前記内部保持部材を固定することを特徴とする乗客コンベアの組立方法。
【請求項４】
請求項３において、
前記欄干パネルの上部と前記欄干上部枠体との間の隙間に、前記一対の挟み込み部が上下方向に一対となる向きで、前記一対の光源保持部を上下方向に圧縮しながら、前記一対の光源保持部が前記一対の挟み込み部よりも下方に位置する状態で、欄干パネルの上端部と前記欄干上部枠体との間の隙間に前記一対の挟み込み部を挿入することを特徴とする乗客コンベアの組立方法。
【発明の詳細な説明】
【技術分野】
【０００１】
本発明は、乗客コンベアおよび乗客コンベアの組立方法に関する。
【背景技術】
【０００２】
本技術分野の背景技術として、特許文献１がある。この公報には、無端状に連結されて乗り込み口と降り口との間で循環移動する複数のステップと、ステップの幅方向の両側に配置された欄干と、ステップと同期して移動可能に配置された移動手摺とを備え、欄干は、下部が固定された欄干パネルと、欄干パネルの上部に固定された欄干上部枠体（特許文献１では移動手摺用枠体と称する）と、欄干上部枠体内に設けられた欄干照明と、欄干上部枠体内に設けられ欄干パネルの上端部に挟み込まれる挟み込み部と光源収納体を保持する光源保持部とが一体的に構成された内部保持部材とを有する乗客コンベアが記載されている。
【先行技術文献】
【特許文献】
【０００３】
【特許文献１】特開２０１５−１１７１０７号公報
【発明の概要】
【発明が解決しようとする課題】
【０００４】
しかし、特許文献１に記載された欄干上部枠体内の内部保持部材は、欄干上部枠体が欄干パネルの上部に固定される前に設置される必要がある。
【０００５】
本発明の目的は、欄干上部枠体を欄干パネルの上部に固定した後でも欄干上部枠体内に複数の内部保持部材を設置できる乗客コンベアおよび乗客コンベアの組立方法を提供することにある。
【課題を解決するための手段】
【０００６】
上記課題を解決するために、本発明の乗客コンベアは、例えば、無端状に連結されて乗り込み口と降り口との間で循環移動する複数のステップと、前記ステップの幅方向の両側に配置された欄干と、前記ステップと同期して移動可能に配置された移動手摺とを備え、前記欄干は、下部が固定された欄干パネルと、前記欄干パネルの上部に固定された欄干上部枠体と、前記欄干上部枠体内に設けられた欄干照明とを有する乗客コンベアにおいて、
前記欄干照明は、前記移動手摺の移動方向に沿って配置され、発光素子を有する光源収納体を有し、
前記欄干上部枠体内には、前記光源収納体を保持する複数の内部保持部材を有し、
前記複数の内部保持部材の各内部保持部材は、前記欄干パネルの上端部に挟み込まれる一対の挟み込み部と、前記光源収納体を保持する一対の光源保持部とが、弾性を有する線材により一体的に構成された形状を有し、
前記一対の挟み込み部の間隔は、前記欄干パネルの上端部と前記欄干上部枠体との間の隙間よりも小さく、
前記一対の挟み込み部は、前記一対の挟み込み部が前記欄干パネルの上端部に挟み込まれた状態で上方から見たときに前記欄干パネルに対して８０度から１００度の間の角度で交差し、
前記一対の光源保持部は、前記一対の挟み込み部が前記欄干パネルの上端部に挟み込まれた状態で上方から見たときに前記欄干パネルに対して５０度から７０度の間の角度で交差することを特徴とする。
【０００７】
また、本発明の乗客コンベアの組立方法は、例えば、前記乗客コンベアを組み立てる際に、前記欄干パネルの上部に前記欄干上部枠体が固定された状態において、前記欄干パネルの上端部と前記欄干上部枠体との間の隙間に、前記一対の光源保持部が前記一対の挟み込み部よりも下方に位置する状態で前記一対の挟み込み部が上下方向に一対となるように前記一対の挟み込み部を挿入し、前記欄干パネルの上端部に前記一対の挟み込み部が挟み込まれた状態となるよう回転させることにより、前記欄干パネルの上端部に前記内部保持部材を固定することを特徴とする。
【発明の効果】
【０００８】
本発明の乗客コンベアおよび乗客コンベアの組立方法によれば、欄干上部枠体を欄干パネルの上部に固定した後でも欄干上部枠体内に複数の内部保持部材を設置できる。
【０００９】
なお、上述した以外の課題、構成および効果は、以下の実施形態の説明により明らかにされる。
【図面の簡単な説明】
【００１０】
【図１】本発明の一実施例による乗客コンベアの概略構成を示す斜視図である。
【図２】図１に示した乗客コンベアの要部を示す断面図である。
【図３】図２に示した内部保持部材を拡大して示す側面図である。
【図４】図２に示した内部保持部材が欄干パネルに取り付けられている様子を拡大して示す上面図である。
【図５】図２に示した内部保持部材が欄干パネルに取り付けられる様子を拡大して示す図である。
【発明を実施するための形態】
【００１１】
以下、本発明の実施の形態を図面に基づいて説明する。尚、各図において同一または類似の構成には同じ符号を付して繰り返しの説明は省略する。
【００１２】
図１は、本発明の一実施例による乗客コンベアの概略構成を示す斜視図である。乗客コンベアは、無端状に連結されて乗り込み口と降り口との間（乗降口１，２間）で循環移動する複数のステップ３と、ステップ３の幅方向の両側に配置された欄干４と、ステップ３と同期して移動可能に配置された移動手摺５とを備える。
【００１３】
また、乗客コンベアは、建造物に設置される支持構造体（主枠体とも呼ばれる）を有し、支持構造体内で、複数のステップ３を、図示しない駆動装置によって駆動すると共に、欄干４の周縁に沿ってステップ３と同期して移動手摺５を移動させる構成となっている。欄干４と移動手摺５との間には欄干照明６が設置されている。
【００１４】
図２は、図１に示した乗客コンベアの要部を示す断面図である。欄干４は、下部が固定された欄干パネル４Ａと、欄干パネル４Ａの上部に固定された欄干上部枠体８と、欄干上部枠体８内に設けられた欄干照明６とを有する。具体的には、図示しない支持構造物に下部を固定された欄干パネル４Ａが立てられており、この欄干パネル４Ａの上端部に、固定支持部材７、欄干上部枠体８および移動手摺支持枠体９が接着や他の固定方法によって固定されている。欄干パネル４Ａの上端部に固定された固定支持部材７は、欄干パネル４Ａの長手方向、つまり移動手摺５の移動方向に複数個に分割されており、隣接する分割単位間には所定の間隔が保持され、この所定の間隔を空けられた部分に詳細を後述する内部保持部材１１が配置されている。
【００１５】
欄干上部枠体８および移動手摺支持枠体９は、固定支持部材７とは異なり、移動手摺５の移動方向に連続的に構成されている。移動手摺支持枠体９の上端部にはガイド部材１０が固定されており、このガイド部材１０によって移動手摺５の移動を案内するように支持している。欄干上部枠体８内には、後述する光源収納体１４を保持する複数の内部保持部材１１が配置されており、この内部保持部材１１は上述したように移動手摺５の移動方向における固定部材７の分割単位間で所定の間隔を空けた部分に配置され、欄干パネル４Ａの上端部に固定されている。
【００１６】
欄干照明６は、移動手摺５の移動方向に沿って配置され、発光素子を有する光源収納体１４を有する。光源収納体１４内には、光源が構成されている。例えば、光源収納体１４内の長手方向には任意の間隔で複数のＬＥＤなどの発光素子が配置され、各発光素子は、乗客コンベアの支持構造体内に設置された電源に、配線１５が利用されて接続されている。光源収納体１４の下部近傍に位置する欄干上部枠体８には開口部が形成され、この開口部を塞ぐようにして下方に向かって突出した半透明の照明カバー１６が取り付けられている。
【００１７】
図３は、図２に示した内部保持部材を拡大して示す側面図である。
【００１８】
複数の内部保持部材１１の各内部保持部材１１は、欄干パネル４Ａの上端部に挟み込まれる一対の挟み込み部１２と、光源収納体１４を保持する一対の光源保持部１３とが、弾性を有する線材により一体的に構成された形状を有する。なお、図３では一対の挟み込み部１２の一方と、一対の光源保持部１３の一方のみが図示されており、図３に示したものと同様の形状のものが紙面の奥側にも存在し、図３では図示省略した連結部で連結されている。
【００１９】
具体的には、内部保持部材１１は、対向した配置となるように折り返された折り返し部１７，１８によって形成された挟み込み部１２と、対向した配置となるように折り返された折り返し部１９，２０および光源収納体１４を下方から保持する保持部２５によって形成された光源保持部１３と、曲線的に折り曲げられた形状によって折り返し部１７，１８間を連結する折り曲げ保持部２１とを有している。
【００２０】
折り返し部１７，１８は、全体的に平行な関係ではなく、下方側に位置する欄干パネル４Ａへ挿入する側に向かって徐々に対向距離が小さくなった形状で、かつ下方端部では、欄干パネル４Ａの厚みよりも小さな最小対向距離となっている。また、折り返し部１９，２０は、光源収納体１４を下から保持する保持部２５を有し、光源収納体１４が下方へ脱落しないように保持する構成となっている。
【００２１】
折り曲げ保持部２１は、幾つかの機能を有しており、その一つの機能は折り返し部１７，１８間にバネアクションを付与することである。折り返し部１９，２０間も他の折り曲げ部によってバネアクションが付与されているが、折り曲げ保持部２１により折り返し部１７，１８間の方により大きなバネアクションが付与されている。
【００２２】
また、折り曲げ保持部２１は、別の機能を果たしている。つまり兎の耳状に形成された折り曲げ保持部２１は、欄干パネル４Ａの上端部と欄干上部枠体８との間の隙間に配置されているため、折り曲げ保持部２１の上端部が欄干上部枠体８に近接して配置されている。このため、何らかの理由で内部保持部材１１が欄干パネル４Ａから抜け出る方向に移動しようとしても、折り曲げ保持部２１の上端部が欄干上部枠体８に接触して、抜け出る（脱落する）のが防止される。つまり、内部保持部材１１自身の構成によって、抜け止め防止機能を果たしているため、他の構造物によって抜け止めを行う場合に比べて構成を簡略化することができる。
【００２３】
また、折り曲げ保持部２１の中間部には、下方に突出した突出部２２が形成されている。図２の状態では、欄干パネル４Ａの上端面２３に突出部２２が接触するまで、挟み込み部１２が欄干パネル４Ａに挿入されている。このとき、内部保持部材１１は、欄干パネル４Ａを挟み込んだ折り返し部１７，１８と、突出部２２とで欄干パネル４Ａに接触し、ほぼ固定状態となる。このため、内部保持部材１１が移動手摺５の移動方向に傾いたり倒れたりすることがなく、図２の姿勢がしっかりと保持される。また、内部保持部材１１は、後述する図４に示すように、一対の挟み込み部１２を有しているため、これによっても内部保持部材１１が移動手摺５の移動方向に傾いたり倒れたりすることがなく、図２の姿勢がしっかりと保持される。つまり、内部保持部材１１自身の構成によって、転倒防止または姿勢保持機能を果たしているため、他の構造物によって転倒または姿勢保持を行う場合に比べて構成を簡略化することができる。
【００２４】
図４は、図２に示した内部保持部材が欄干パネルに取り付けられている様子を拡大して示す上面図である。
【００２５】
図４に示すように、内部保持部材１１は、弾性を有する線材を折り曲げ加工して構成されているため、バネアクションを有する。内部保持部材１１は、挟み込み部１２Ａと光源保持部１３Ａとを有する内部保持部材１１Ａおよび挟み込み部１２Ｂと光源保持部１３Ｂとを有する内部保持部材１１Ｂが連結部３１によって連結されており、一対の挟み込み部１２（１２Ａ、１２Ｂ）と一対の光源保持部１３（１３Ａ、１３Ｂ）とが、弾性を有する線材により一体的に構成されている。
【００２６】
そして、内部保持部材１１は、一対の挟み込み部１２（１２Ａ、１２Ｂ）が欄干パネル４Ａの上端部に挟み込まれた状態で上方から見たときに、一対の挟み込み部１２は欄干パネル４Ａに対して８０度から１００度の間の角度２７で交差し、一対の光源保持部１３（１３Ａ、１３Ｂ）は、一対の挟み込み部１２が欄干パネル４Ａの上端部に挟み込まれた状態で上方から見たときに欄干パネル４Ａに対して５０度から７０度の間の角度２８で交差する角度を有した形状となっている。
【００２７】
なお、一対の挟み込み部１２（１２Ａ、１２Ｂ）が欄干パネル４Ａの上端部に挟み込まれた状態で上方から見たときに、一対の挟み込み部１２は欄干パネル４Ａに対して８０度から１００度の間の角度２７で交差することにより、前述の内部保持部材１１が移動手摺５の移動方向に傾いたり倒れたりすることがなく、図２の姿勢がしっかりと保持されるという転倒防止または姿勢保持機能を発揮することができる。
【００２８】
図５は、図２に示した内部保持部材が欄干パネルに取り付けられる様子を拡大して示す図である。
【００２９】
ここでは内部保持部材１１の取付方法を説明する。図５に示すように、欄干パネル４Ａの上部に欄干上部枠体８が固定された状態において、欄干パネル４Ａの上端部と欄干上部枠体８との間の隙間２９Ａに、一対の光源保持部１３が一対の挟み込み部１２よりも下方に位置する状態で一対の挟み込み部１２が上下方向に一対となるように一対の挟み込み部１２を挿入する。次に、欄干パネル４Ａの上端部に一対の挟み込み部１２が挟み込まれた状態となるよう回転させることにより、図４に示すように欄干パネル４Ａの上端部に内部保持部材１１を固定する。
【００３０】
このような取付を可能にするために、一対の挟み込み部１２（１２Ａ、１２Ｂ）の間隔２９Ｂを欄干パネル４Ａの上端部と欄干上部枠体８との間の隙間よりも小さくすることで挿入が可能となり、また、一対の光源保持部１３（１３Ａ、１３Ｂ）を、一対の挟み込み部１２が欄干パネル４Ａの上端部に挟み込まれた状態で上方から見たときに欄干パネル４Ａに対して５０度から７０度の間の角度２８で交差する角度を有する形状とすることで、図５に示すように挿入の際に光源保持部１３が挟み込み部１２よりも下方に位置にする状態にし、欄干上部枠体８と干渉しないように指等で光源保持部１３の部分を挟んで持ちながら取付作業を行うことが可能となる。
【００３１】
また、図５に示すように、一対の光源保持部１３を圧縮方向３０のように上下方向に圧縮しながら、一対の光源保持部１３が一対の挟み込み部１２よりも下方に位置する状態で、欄干パネル４Ａの上端部と欄干上部枠体８との間の隙間２９Ａに一対の挟み込み部１２を挿入することで、挿入や回転の作業がより容易となる。
【００３２】
また、図４に示すように、一対の光源保持部１３の間隔は一対の挟み込み部１２の間隔より大きい構成とすることにより、所定の間隔を空けて配置される内部保持部材１１の所定の間隔を大きくすることができ、内部保持部材１１の使用品数を減らして光源収納体１４を安定して設置することができる。
【００３３】
なお、一対の光源保持部１３の間隔と一対の挟み込み部１２の間隔とが等しい、または小さい構成としてもよい。その場合は、所定の間隔を空けて配置される内部保持部材１１の所定の間隔を小さくし、内部保持部材１１の使用品数を増やすことで、光源収納体１４を安定して設置することができる。
【００３４】
なお、本発明は、上述した実施例に限定するものではなく、様々な変形例が含まれる。例えば、上述した実施例は本発明を分かり易く説明するために詳細に説明したものであり、必ずしも説明した全ての構成を備えるものに限定するものではない。また、実施例の構成の一部について、他の構成の追加、削除、置換をすることが可能である。
【符号の説明】
【００３５】
１, ２  乗降口
３    ステップ
４    欄干
４Ａ  欄干パネル
５    移動手摺
６    欄干照明
７    固定支持部材
８    欄干上部枠体
９    移動手摺支持枠体
１０  ガイド部材
１１  内部保持部材
１２  挟み込み部
１３  光源保持部
１４  光源収納体
１５  配線
１６  照明カバー
１７, １８, １９, ２０  折り返し部
２１  折り曲げ保持部
２２  突出部
２３  上端面
２５  保持部
２７  一対の挟み込み部と欄干パネルとが成す角度
２８  一対の光源保持部と欄干パネルとが成す角度
２９Ａ  欄干パネルの上端部と欄干上部枠体との間の隙間
２９Ｂ  一対の挟み込み部の間隔
３０  光源保持部を圧縮する方向
３１  連結部
【図１】
2018030697.tif 000003
【図２】
2018030697.tif 000004
【図３】
2018030697.tif 000005
【図４】
2018030697.tif 000006
【図５】
2018030697.tif 000007